(57)【要約】【課題】除湿剤を容器本体（除湿剤収納容器）内に投入し易くし、溶解液が漏洩するのを防止するためのパッキン不要で、溶解液排出時において電装部品に溶解液がかることを防止でき、溶解液と除湿剤との混入を防止して除湿剤の延命化を向上させる。【解決手段】容器本体１に着脱自在に設けられる蓋体１０には、ファン２４等の電装部品を内蔵する電装部品収納室２１を形成するとともに、蓋体１０の底板部１１には突部１２を設け、容器本体１には、該容器本体１の開口２と除湿剤収納容器４０とを被蓋する容器本体蓋１Ｂを設け、この容器本体蓋１Ｂには、閉蓋時において前記蓋体１の底板部１１に設けた突部１２に対向する位置に封印シート４５を設けるとともに、この封印シート４５は、閉蓋時には前記蓋体１０の突部１２により破られ又は人の手により剥離されることにより、第１連通口１５及び第２連通口１６と容器本体１の収納室４とを連通するように構成してある。【選択図】　　　　　　図１
2004073929.tif 000002
【特許請求の範囲】
【請求項１】
除湿剤を収納する除湿剤収納容器を内装する容器本体と、容器本体の上部を被蓋する蓋体と、容器本体または蓋体のいずれかに形成した外気導入用の吸気口及び除湿空気排出用の排気口と、容器本体内に収納された除湿剤が外気に接触して溶解された溶解液を貯留する溶解液貯留部とを少なくとも備えた除湿器であって、
前記除湿剤収納容器は、容器本体の上部に内装するとともに、該除湿剤収納容器の収納部の最低部が除湿剤の溶解液の満水位置より上方になるように設けてあることを特徴とする除湿器。
【請求項２】
前記外気導入用の吸気口に連通され開閉弁により開閉される第１連通口と、除湿空気排出用の排気口に連通され開閉弁により開閉される第２連通口と、前記吸気口から導入された外気を、前記第１連通口と除湿剤収納容器内の除湿剤と第２連通口とを経て前記排気口より器体外へ強制的に排出するためのファンとを少なくとも備え、
前記容器本体に着脱自在に設けられる蓋体には、前記ファン等の電装部品を内蔵する電装部品収納室を形成するとともに、該蓋体の底板部には突部を設け、
容器本体には、該容器本体の開口と除湿剤収納容器とを被蓋する容器本体蓋を設け、この容器本体蓋には、閉蓋時において前記蓋体の底板部に設けた突部に対向する位置に封印シートを設けるとともに、この封印シートは、閉蓋時には前記蓋体の突部により破られ又は人の手により剥離されることにより、前記第１連通口及び第２連通口と容器本体の収納室とを連通するように構成したことを特徴とする請求項１に記載の除湿器。
【請求項３】
蓋体の底板部に設けた突部は筒状に形成するとともに、その筒状体の内部には、容器本体と蓋体の組付状態時に開弁状態となり、容器本体の転倒状態時に閉弁状態となる開閉弁を設けてなる請求項１または２に記載の除湿器。
【請求項４】
除湿剤を収納する除湿剤収納部と電装部品を収納する電装部品収納室とを有する容器本体と、容器本体の上部を被蓋する蓋体とを備えてなる除湿器であって、
前記容器本体の除湿剤収納部には、吸気通路を形成する吸気筒と、排気通路を形成する排気筒とを突設するとともに、
吸気筒と排気筒には、容器本体の床面設置状態時は開弁され、器体転倒時や溶解液放出時は閉弁される開閉弁を設け、
容器本体の除湿剤収納部には、上部を除く全面に多数の小孔を有する除湿剤収納容器を設け、
蓋体には前記除湿剤収納容器の上部開口を臨む位置に除湿剤投入用及び溶解液排出用の出入口を設けてあることを特徴とする除湿器。
【請求項５】
容器本体の一方側側壁の下部には、前記吸気通路と連通する吸気口を形成するとともに、他方側側壁の下部には、前記排気通路と連通する排気口を形成し、
前記容器本体の下部には電源やファン等の電装部品を収納する電装部品収納室を形成するとともに、上部には除湿剤を収納する除湿剤収納部を形成し、この除湿剤収納部には下部に溶解液貯留部を有するように除湿剤収納容器を収納し、
蓋体に形成した除湿剤投入用及び溶解液排出用の出入口はキャップで被蓋するように構成してある請求項４に記載の除湿器。
【請求項６】
前記排気口には防かびや消臭用の小ケースを設けてなる請求項１〜請求項５のいずれかに記載の除湿器。
【発明の詳細な説明】
【０００１】
【発明の属する技術分野】
本発明は、室内や押し入れやタンス等の除湿を行なう除湿器に係わり、更に詳しく言えば、除湿剤を収容した容器本体内に湿り外気（空気）を通過させて除湿を行なう除湿器に関する。
【０００２】
【従来の技術】
従来より、この種の除湿器としては種々のものが提案されている。例えば、図８及び図９に記載された除湿器が挙げられる。この除湿器を図８及び図９に沿って以下に説明する。
【０００３】
すなわち、上記従来の除湿器は、除湿剤Ｍを収納する収納室０３を有する容器本体０１と、容器本体０１の上部を被蓋する蓋体０１０と、外気（空気）を導入するため蓋体０１０の一端側の側壁に形成した吸気口０１１に連通され開閉弁０５により開閉される第１連通口０４と、除湿剤Ｍを通過して除湿された除湿空気を器体外に排出するため蓋体０１０の他端側の側壁に形成した排気口０１２に連通され開閉弁０７により開閉される第２連通口０６と、前記吸気口０１１から導入された外気を、前記第１連通口０４と収納室０３内の除湿剤Ｍと第２連通口０６とを経て前記排気口０１２より器体外へ強制的に排出するためのファン０１３とを備えている。そして、前記第１連通口０４は中蓋０１０Ａの底板の一端側に、第２連通口０６は中蓋０１０Ａの底板の他端側に、互に離間して設け、吸気口０１１から導入された除湿すべき外気は、第１連通口０４から除湿剤Ｍを介して第２連通口０６に至るまで一方向だけに通過されるようにしてある。
【０００４】
（イ）　そして、容器本体０１の側壁に容器本体０１内と外部とを連通する出入口０８を突設し、この出入口０８から除湿剤Ｍを投入する場合には、該出入口０８を上向きにして除湿剤を投入する必要があるとともに、この出入口０８から溶解液（潮解液も含む広義の意味で本明細書では使用する。）を外部へ排出する。
【０００５】
（ロ）　また、容器本体０１の収納室０３には、網目状の多数の小孔０２１を形成した、Ｗ字状形の除湿剤収納容器０２０を、容器本体０１の内底面上に載置して収納している。そして、吸気口０１１から導入された外気（空気）は前記除湿剤Ｍに接触して、そこで外気（空気）中の水分が除去される際に、該除湿剤Ｍは溶解（潮解も含む）され、溶解液となり、その溶解液は収納室０３の底部内に貯留される。従って、この溶解液中に未溶解の除湿剤が混入する。
【０００６】
なお、蓋体０１０は、容器本体０１の上部開口０２を被蓋するととともに、前記第１連通口０４及び開閉弁０５と第２連通口０６及び開閉弁０７とを有する中蓋０１０Ａと、前記ファン０１３の他にモータ０１４と該モータ０１４を駆動する電源（充電器等）０１５並びに操作つまみ０１６などを設けた外蓋０１０Ｂとからなっている。図８及び図９で、０１７は出入口０８を被蓋するキャップである。図８で０１８、０１９はパッキンである。
【０００７】
上記構成からなる除湿器の作用を以下に簡単に説明する。操作つまみ０１６を操作して運転状態にして、除湿器を床面設置状態にすると、開閉弁０５、０７はバネ（図示せず）の付勢力に抗して上動して、第１連通口０４及び第２連通口０６が開放される。この状態で、除湿すべき外気（空気）が存在すると、電源（充電器）０１５からモータ０１４ヘ電源を供給する制御がなされファン０１３が回転される。ファン０１３が回転すると、吸気口０１１から外気（空気）が流入され、図８に矢印で示したように、吸気口０１１から、第１連通口０４、収納室０３内の除湿剤Ｍ、第２連通口０６を経て排気口０１２から外部へ排出される外気（空気）の強制的な流れが形成される。
【０００８】
【発明が解決しようとする課題】
しかしながら、上記従来例の除湿器は、前記（イ）に記載したように、容器本体０１の側壁に出入口０８を形成し、この出入口０８から除湿剤を投入する場合には、該出入口０８を上向きにして除湿剤を均等に入れる必要があり面倒であった。また容器本体０１内に溜まった溶解液が出入口０８から漏洩しないようにパッキン０１８を設けるとか、溶解液の排出時に電源やモータ等の電装品に溶解液がかからないようにパッキン０１９を設けるなどシール性を考慮しなければならなかった。
【０００９】
また、従来例の除湿器は、前記（ロ）に記載したように、多数の小孔を形成したＷ字状形の除湿剤収納容器０２０を、容器本体０１の内底面上に載置して収納するため、該除湿剤収納容器内に収納されている除湿剤の溶解液により、未溶解部の除湿剤が浸漬されて溶解が促進され、除湿剤の使用日数が短くなるるという難点があった。
【００１０】
本発明は、上記従来例の除湿器の有する問題点を解決しようとするものであり、除湿剤を容器本体（除湿剤収納容器）内に投入し易くし、溶解液が漏洩するのを防止するためのパッキン不要で、溶解液排出時において電装部品に溶解液がかることを防止でき、溶解液と除湿剤との混入を防止して除湿剤の延命化を向上させる等の除湿器を提供することを目的とする。
【００１１】
【課題を解決するための手段】
上記目的を達成するため、本発明の請求項１の除湿器は、除湿剤を収納する除湿剤収納容器を内装する容器本体と、容器本体の上部を被蓋する蓋体と、容器本体または蓋体のいずれかに形成した外気導入用の吸気口及び除湿空気排出用の排気口と、容器本体内に収納された除湿剤が外気に接触して溶解された溶解液を貯留する溶解液貯留部とを少なくとも備えた除湿器であって、前記除湿剤収納容器は、容器本体の上部に内装するとともに、該除湿剤収納容器の収納部の最低部が除湿剤の溶解液の満水位置より上方になるように設けてあることを特徴とする。
【００１２】
ここで、除湿剤収納容器の収納部の最低部が除湿剤の溶解液の満水位置より上方になるように設ける構造としては、例えば、容器本体の内周側壁の所望高さ位置に係止板を設け、この係止板に除湿剤収納容器の底部又は別設の被係止板を係止するとか、除湿剤収納容器の底部に実施形態（図４、図６及び図７）で示すような保持部を垂設するとかして、適宜構成を採用するとよい。
【００１３】
本発明の請求項２の除湿器は、上記構成に加えて、端的に言えば、除湿剤収納容器を内装した容器本体と、電装部品を収納した蓋体とを着脱自在にするとともに、蓋体を容器本体に装着する時に、容器本体蓋に設けた封印シールを、蓋体の底部に設けた突部により破り又は剥離することにより開放し、吸気口から導入された外気（空気）が第１連通口や除湿剤や第２連通口を経て、除湿された空気が排気口から排出されるようにしたものである。
【００１４】
すなわち、これを具体的に言うと、前記外気導入用の吸気口に連通され開閉弁により開閉される第１連通口と、除湿空気排出用の排気口に連通され開閉弁により開閉される第２連通口と、前記吸気口から導入された外気を、前記第１連通口と除湿剤収納容器内の除湿剤と第２連通口とを経て前記排気口より器体外へ強制的に排出するためのファンとを少なくとも備え、前記容器本体に着脱自在に設けられる蓋体には、前記ファン等の電装部品を内蔵する電装部品収納室を形成するとともに、該蓋体の底板部には突部を設け、容器本体には、該容器本体の開口と除湿剤収納容器とを被蓋する容器本体蓋を設け、この容器本体蓋には、閉蓋時において前記蓋体の底板部に設けた突部に対向する位置に封印シートを設けるとともに、この封印シートは、閉蓋時には前記蓋体の突部により破られ又は人の手により剥離されることにより、前記第１連通口及び第２連通口と容器本体の収納室とを連通するように構成したことを特徴とする。
【００１５】
この場合において、蓋体の底板部に設けた突部は種々構成することができるが、この突部は筒状に形成するとともに、その筒状体の内部には、容器本体と蓋体の組付状態時に開弁状態となり、容器本体の転倒状態時に閉弁状態となる開閉弁を設けてなる方が好ましい。
【００１６】
請求項４の除湿器は、除湿剤を収納する除湿剤収納部と電装部品を収納する電装部品収納室とを有する容器本体と、容器本体の上部を被蓋する蓋体とを備えてなる除湿器であって、前記容器本体の除湿剤収納部には、吸気通路を形成する吸気筒と、排気通路を形成する排気筒とを突設するとともに、吸気筒と排気筒には、容器本体の床面設置状態時は開弁され、器体転倒時や溶解液放出時は閉弁される開閉弁を設け、容器本体の除湿剤収納部には、上部を除く全面に多数の小孔を有する除湿剤収納容器を設け、蓋体には前記除湿剤収納容器の上部開口を臨む位置に除湿剤投入用及び溶解液排出用の出入口を設けてあることを特徴とする。
【００１７】
この場合において、容器本体の一方側側壁の下部には、前記吸気通路と連通する吸気口を形成するとともに、他方側側壁の下部には、前記排気通路と連通する排気口を形成し、前記容器本体の下部には電源やファン等の電装部品を収納する電装部品収納室を形成するとともに、上部には除湿剤を収納する除湿剤収納部を形成し、この除湿剤収納部には下部に溶解液貯留部を有するように除湿剤収納容器を収納し、蓋体に形成した除湿剤投入用及び溶解液排出用の出入口はキャップで被蓋するように構成する（請求項５参照）のが好ましい。
【００１８】
除湿剤収納容器は、本発明では、内部に除湿剤を収納できて、その収納された除湿剤に除湿すべき外気（空気）が通過できるものであれば、任意に選定できる。しかし、図１や図４〜図７に記載したように、除湿剤収納容器は、外周壁上部と上部開口と前記仕切壁とを除いた全面に多数の小孔を形成してある方が好ましい。また、除湿剤収納容器は、図４と図６及び図７に示すように、底部に保持部を垂設することもできる。
【００１９】
請求項１〜５において、除湿された空気を排気する排気口には防かびや消臭用の小ケースを設ける（請求項６参照）こともできる。
【００２０】
【発明の実施の形態１】
本発明の実施の形態の第１例を図１〜図３に基づいて以下に説明する。
この除湿器は、上部を開口２し下部に底板部３を有する直方体箱状の容器本体１と、容器本体１の上部を被蓋する長方形状の蓋体１０とを備えている。
【００２１】
容器本体１は、収納室４を有する本体１Ａと、該本体１Ａの収納室４の上部開口２を被蓋する略皿状の容器本体蓋１Ｂとからなり、本体１Ａの上部外周縁部１ａに容器本体蓋１Ｂの外周垂下壁部１Ｃを嵌合または溶着などの固定方法によって両者は着脱自在または着脱不能に固定してある。
【００２２】
容器本体１の収納室４の上部には除湿剤Ｍが収納されるのであるが、この実施形態では、図１に示す如き除湿剤収納容器４０の収納部４１に除湿剤Ｍを収納するようにしている。
すなわち、図１で、容器本体１の収納室４に、除湿剤収納容器４０が内装されていず、しかも容器本体蓋１Ｂが被蓋されていない状態において、所望量の除湿剤Ｍを収納した除湿剤収納容器４０を、前記容器本体１の収納室４の上部に収納して保持する。この除湿剤収納容器４０を容器本体１内に収納して保持する構造としては、本実施形態では、前記除湿剤収納容器４０の外周側壁４２を容器本体１の内壁に弾性的に嵌合して保持している。
そのほかに、例えば、容器本体１の本体１Ａの上端開口縁部に、除湿剤収納容器４０の外周端縁に形成したフランジ部（図示せず）を係合して保持する方式、又は、容器本体１の本体１Ａの側壁内周に係合片（図示せず）を突設して、この係合片に除湿剤収納容器４０の底板部を保持させる方式など、その他適宜設計変更できる。
【００２３】
容器本体１内に除湿剤収納容器４０を内装した状態において、前記容器本体１に容器本体蓋１Ｂを被蓋する。この容器本体蓋１Ｂにより、容器本体１の開口２と除湿剤収納容器４０とが被覆される。
【００２４】
一方、除湿剤収納容器４０は、平面から見て長方形状であって、その長手方向の上部左右両端近くには長孔４３ａを有する方形筒部４３、４３を突設しているとともに、底板部４０ａの中央は図１に示すように上向きに略台形状に隆起させ、前記底板部４０ａ及び立ち上り側壁４０ｂ並びに方形筒部４３（上部を除く）には、除湿すべき外気（空気）が流通されるように多数の小孔４４・・・４４が網状に穿設されている。そして、前記方形筒部４３の上面には、長孔４３ａを閉塞するように封印シート４５（図３参照）が設けてある。
【００２５】
この封印シート４５は、アルミニウム箔の如く空気を通さない素材で形成され、方形筒部４３上面に接着や圧着などにより取り付けてある。この封印シート４５は、蓋体１０を容器本体１に閉蓋した時において、前記蓋体１０の底板部１１に設けた突部１２に対向する位置に設けている。従って、この封印シート４５は、蓋体１０の閉蓋時には、蓋体１０の底板部１１に設けた突部１２により破られ、又は人の手により剥離されることにより、蓋体１０の底板部１１に形成した長孔状の第１連通口１５及び第２連通口１６と容器本体１の収納室４（除湿剤収納容器４０の収納部４１も同じ。）とが連結される。
【００２６】
なお、容器本体１の上部に内装した除湿剤収納容器４０は、該除湿剤収納容器４０の収納部４１の最低部Ｌが、溶解液貯留部５に貯留された除湿剤Ｍの溶解液（潮解液）の満水位置Ｕより上方になるようにしてある。これにより、溶解液が未溶解の除湿剤に混入することがないので、除湿剤Ｍの延命化が図られる。
【００２７】
容器本体１の収納室４、つまり除湿剤収納容器４０の収納部４１に収納される除湿剤Ｍは、外気（空気）中の水分を吸収して潮解する粉粒体状の塩化カルシウムなどが使用される。除湿剤Ｍは適宜選定するとよい。
【００２８】
容器本体１の上部には、容器本体１の上部を被蓋する蓋体（外蓋）１０が、嵌合や係合又は螺合方式等により着脱自在に設けてある。この蓋体１０は、前述した底板部１１と、外周に垂下壁２０ａを有する天板２０とを備えており、垂下壁２０ａと天板２０との間には、電源（充電器）２２やモータ２３やファン２４等の電装部品を収納する電装部品収納室２１が形成されている。そして前記電源２２とモータ２３及びファン２４はそれぞれ電気的に接続されている。
また、図１で電装部品収納室２１の右隣の空室２５の右外周壁には吸気口２６が形成されており、この吸気口２６から導入された外気（空気）は第１連通口１５を介して収納室４へ通される。
【００２９】
一方、蓋体１０の電装部品収納室２１には図１で左外周壁に排気口２７が形成されている。従って、前記吸気口２６から導入された外気は、第１連通口１５や収納室４を経て除湿剤収納容器４０の中の除湿剤Ｍにより除湿され、その除湿された空気は、収納室４から第２連通口１６を経て器体外へ排出される。
【００３０】
前記蓋体１０の底板部１１に設けた突部１２は、本発明では特に限定しないのであるが、本実施形態では、方形状の筒状体１３に形成し、その筒状体１３の内部には、容器本体１と蓋体１０の組付状態時に開弁状態となり、容器本体１の転倒状態時に閉弁状態となる開閉弁１７、１８を嵌装している。
【００３１】
すなわち、突部１２となる筒状体１３は、除湿剤収納容器４０の方形筒部４３内に内嵌合されるものとして、この筒状体１３の突部１２で前記封印シート４５を破るか、又はあらかじめ該封印シート４５を人間の手で剥離することにより、前記突部１２（１３）を方形筒部４３に内嵌合する。
また、開閉弁１７、１８は、断面が角錐や円錐等の長板状であって、器体転倒時には第１連通口１５及び第２連通口１６を封止でき、器体の床面設置状態時には、第１連通口１５及び第２連通口１６と収納室４や除湿剤収納容器４０とを連通状態とすることがでるようにしてある。図１で、１４は方形の筒状体１３の内部に適当間隔をおいて設けた複数のリブであって、これで前記開閉弁１７、１８を支持するとともに、このリブ同士間の隙間から空気が流通できるようにしてある。
【００３２】
この第１実施形態の開閉弁１７、１８は同一構造で、上記構成を採っているので、器体の床面設置状態時には、該開閉弁１７、１８は常時に開弁状態であるが、器体の転倒時には、開閉弁１７、１８の上面が第１連通口１５及び第２連通口１６を閉塞するため、吸気口２６から外気が導入されても、収納室４内の除湿剤Ｍにより外気が除湿されたり、溶解液が電装部品や器体外へ漏洩することがない。
【００３３】
図３で、２８はモータ２３を介してファン２４を回転又は停止するためのスイッチである。
【００３４】
上記第１実施形態の除湿器の組立例及び作用について、以下に説明する。
この除湿器は、未使用状態時には、図３に示すように、容器本体１と蓋体１０とに２分割されている。すなわち、容器本体１には、前述したように除湿剤Ｍを収納した除湿剤収納容器４０が収納されているとともに、容器本体１の開口２は容器本体蓋１Ｂで被蓋され、方形筒部４３には封印シート４５が設けてある。
一方、蓋体１０には、前述したように、電装部品収納室２１に電源２２やモータ２３やファン２４等の電装部品が組み込まれている。
【００３５】
そこで、図３に示すように、容器本体１の上方に蓋体１０を配置し、該蓋体１０を容器本体１上に載置すると、蓋体１０の突部１２（筒状体１３）により封印シート４５が破れ、吸気口２６、第１連通口１５、収納室４、除湿剤収納容器４０（除湿剤Ｍ）、第２連通口１６並びに排気口２７は連通状態となり、外気が貫流される状態となる。このとき、開閉弁１７、１８は開弁状態である。
なお、前記封印シート４５が人間の手で剥離する構造の場合には、該封印シート４５を剥離してから、容器本体１上に蓋体１０を載置するとよい。
【００３６】
上記外気貫流状態においてスイッチ２８をオンにすると、空室２５に湿度センサを設けているときには該湿度センサによる検出湿度が設定値より高い湿度の場合、又は湿度センサがないときには設定値以上の湿度の場合には、電源２２よりモータ２３を介してファン２４が回転され、外気は、図１及び図２に矢印で示すように、前記吸気口２６から第１連通口１５、除湿剤Ｍ、第２連通口１６、排気口２７より器体外に至る貫流ルートを強制的に流通される。
【００３７】
上記使用状態において、除湿器（容器本体）が転倒した時には、除湿器の底面は床面等の設置面から離れるので、開閉弁１７、１８が第１連通口１５、第２連通口１６を閉弁するため、溶解液貯留部５内の除湿剤Ｍの溶解液が器体外へ漏れるのが防止される。
【００３８】
なお、溶解液の排出は、容器本体１より蓋体１０を取り外してから、容器本体１より容器本体蓋１Ｂ及び除湿剤収納容器４０を取り出してから行なうとよい。これにより、溶解液の排出時に、蓋体１０に組み込まれた電装部品に溶解液がかかることがない。
【００３９】
【発明の実施の形態２】
本発明の実施の形態の第２例を図４〜図６に基づいて以下に説明する。
この場合の除湿器は、上部を開口２して除湿剤収納部６を有し、かつ底部に底板部３を有する直方体箱状の容器本体１と、容器本体１の上部を被蓋する蓋体６０とを備えている。蓋体６０の天板６１の外周縁に形成した結合部６１ａを、容器本体１の開口２縁に熱溶着や嵌合等により、蓋体６０を容器本体１に結合してある。
【００４０】
容器本体１の除湿剤収納部６には、容器本体１の一方側側壁の下部に形成した吸気口５１ａと連通する吸気通路５１を形成する吸気筒５０と、容器本体１の他方側側壁の下部に形成した排気口５３ａと連通する排気通路５３を形成する排気筒５２とが突設してある。前記吸気筒５０と排気筒５２の上部は、平面から見て楕円形状の筒部としてあり、下端部は末広がり状段部に形成してある。
【００４１】
除湿剤収納部６の底板６ａと容器本体１の底板部３との間には空室を形成し、この空室を電装部品収納室２１としている。この電装部品収納室２１は、図４に示すように、吸気筒５０の下端部と容器本体１の底板部３間に隔壁２９ａを、除湿剤収納部６の底板６ａの略中央部と容器本体１の底板部３間に隔壁２９ｂをそれぞれ垂設し、前記隔壁２９ａと隔壁２９ｂ間の空間に図４で下方から電源（充電器）２２を嵌装するとともに、前記隔壁２９ｂより排気口５３ａ側の電装部品収納室２１には中央にモータ２３を有するファン２４を設けている。前記電源２２とモータ２３とファン２４とは電気的に接続されている。
【００４２】
前記吸気筒５０と排気筒５２の頂部には、第１連通口５４と第２連通口５５が形成してある。第１連通口５４は、外気を導入するための吸気口５１ａに連通されており、第２連通口５５は、除湿剤Ｍを通過した除湿空気を器体外に排出するための排気口５３ａに連通されている。
【００４３】
吸気筒５０と排気筒５２には、容器本体１の床面設置状態時は開弁され、器体転倒時や溶解液放出時は閉弁される開閉弁５６、５７が上下動できるように嵌装されている。これらの開閉弁５６、５７は、第１連通口５４および第２連通口５５の上面に設けて同連通口５４、５５を開閉する弁体５６ａ、５７ａと、弁体５６ａ、５７ａに連結した弁棒５６ｂ、５７ｂと、前記弁棒５６ｂ、５７ｂを常時は容器本体１の底板部３に形成したガイド孔３ａを介して容器本体１の外方へ突出するように付勢したバネ５８とを備えている。
なお、図４で、５９はバネ受である。
【００４４】
開閉弁５６、５７は、上記の如く構成されているので、容器本体１の床面設置状態時には前記開閉弁５６、５７の弁棒５６ｂ、５７ｂはバネ５８の付勢力に抗して上動して開弁状態となり（図４参照）、ファン２４の作動により、前記吸気口５１ａから導入された外気は、吸気通路５１、第１連通口５４、除湿剤収納部６に収納された除湿剤収納容器４０内の除湿剤Ｍ、第２連通口５５及び排気通路５３を経て前記排気口５３ａより器体外へ強制的に排出される。容器本体の転倒時や溶解液放出時には前記弁棒５６ｂ、５７ｂはバネ５８の付勢力により下動して容器本体１の底板部３のガイド孔３ａを介して容器本体１外方へ突出して閉弁状態となる。そのため、第１連通口５４及び第２連通口５５は弁体５６ａ、５７ａにより閉塞されるので、吸気口５１ａから外気が導入されても、除湿剤収納容器４０内の除湿剤Ｍにより当該外気が除湿されることはないし、器体の転倒時や溶解液放出時に溶解液が電装部品や器体外へ漏洩することもない。
【００４５】
容器本体１の除湿剤収納部６の上部には除湿剤Ｍが収納されるのであるが、この実施形態では、図６に示す如き除湿剤収納容器４０の収納部４１に除湿剤Ｍを収納するようにしている。
【００４６】
この除湿剤収納容器４０は、図６に示すように、上部を開口４０ｃした略箱状に形成するとともに、図６において前後方向の中央部には仕切壁４６を形成し、前記上部開口４０ｃ縁部と仕切壁４６とを除いた全面には、除湿剤Ｍである粉粒体の単位粒子より小さい多数の小孔４４…４４がネット状に形成してある。また、除湿剤収納容器４０の底板部４０ａには板状の保持部４７を垂設している。この保持部４７は前記底板部４０ａ縁部の最低部が除湿剤Ｍの溶解液の満水位置Ｕより上方になるように設けてある。
【００４７】
従って、前記吸気口５１ａから導入された外気は、前述したように、吸気通路５１、第１連通口５４から除湿剤収納容器４０内の除湿剤Ｍを通過して外気中の水分が脱湿され、溶解された液体は溶解液貯留部５に滴下される。上記除湿剤で脱湿された除湿空気は、第２連通口５５と排気通路５３を経て排気口５３ａから器体外へ排出される。
【００４８】
なお、除湿剤収納容器４０の底板部４０ａは、山形状に隆起した隆起部４８を形成してあり、これにより除湿剤Ｍが外気に接触する面積が広くなるように工夫してある。
【００４９】
容器本体１を被蓋する蓋体６０には、前記除湿剤収納容器４０の上部開口４０ｃを臨む位置に除湿剤投入用及び溶解液排出用の出入口６５を形成し、この出入口６５にはキャップ６６を設けてある。このキャップ６６を取り外して蓋体６０の出入口６５から、除湿剤Ｍを投入したり、容器本体１の溶解液貯留部５内に貯留された溶解液を器体外へ排出したりすることができる。
【００５０】
上記第２実施形態の除湿器の組立例及び除湿器の作用について、以下に説明する。
先ず、蓋体６０を取り外した容器本体１の電装部品収納室２１には電源２２やファン２４等の電装部品が組み込まれており、また除湿剤収納部６には除湿剤Ｍを収納した除湿剤収納容器４０が収納してあるとともに、吸気筒５０及び排気筒５２にはそれぞれ開閉弁５６、５７が取り付けてある。そこで、容器本体１の上部に蓋体６０を被蓋する。そして、容器本体１に対する蓋体６０の結合は、本実施形態の如く熱溶着等により一体に形成してもよいし、又は両者を嵌合方式や係合方式などにより着脱自在にすることもできる。
【００５１】
上記状態の除湿器を押入れ等の床面等に水平姿勢となるように載置すると（つまり容器本体の床面設置状態時）、容器本体１の底板部３のガイド孔３ａから下方へ突出していた開閉弁５６、５７の弁棒５６ｂ、５７ｂはバネ５８の付勢力に抗して図４の実線で示すように容器本体１内へ上動される。弁棒５６ｂ、５７ｂの上動により、第１連通口５４又は第２連通口５５に着座されていた弁体５６ａ、５７ａは上動されて、第１連通口５４と第２連通口５５とが開放される（図４参照）。その結果、吸気口５１ａ、吸気通路５１、第１連通口５４、除湿剤収納容器４０（除湿剤Ｍ）、第２連通口５５、排気通路５３、排気口５３ａとは外気（空気）が貫流（通過）される状態となる。
【００５２】
上記外気貫流状態において、湿度センサを設けているときには該湿度センサによる検出湿度が設定値より高い湿度の場合、又は湿度センサがないときには設定値以上の湿度の場合には、電源２２よりモータ２３を介してファン２４が回転され、外気は、図４に矢印で示すように、前記吸気口５１ａから第１連通口５４、除湿剤Ｍ、第２連通口５５、排気口５３ａより器体外に至る貫流ルートを強制的に流通される。
【００５３】
上記使用状態において、除湿器（容器本体）が転倒した時、又は溶解液貯留部５に貯留された溶解液を器体外へ放出（排出）する時には、除湿器は床面等の設置面から離れるので、開閉弁５６、５７の弁棒５６ｂ、５７ｂは、バネ５８の付勢力により、弁体５６ａ、５７ａが第１、第２の連通口５４、５５に当接するまで容器本体１の底板部３のガイド孔３ａから下動される。この弁棒の下動により弁体５６ａ、５７ａが第１連通口５４と第２連通口５５を閉鎖する。その結果、除湿剤収納部６つまり除湿剤収納容器４０内の除湿剤Ｍは外部との連通が遮断される。
これにより、除湿器の転倒時又は溶解液放出時に、除湿剤収納容器４０の収納部４１に収納された除湿剤Ｍの溶解液が、器体外へ漏れるのが防止される。なお、溶解液放出時には蓋体６０のキャップ６６を取り外し器体を傾けることにより、溶解液貯留部５内の溶解液を外部へ排出する。
【００５４】
除湿剤収納容器４０への除湿剤Ｍの投入は、図４に示すように、該除湿剤収納容器４０を容器本体１の除湿剤収納部６に組み込んだ状態において、蓋体（外蓋）６０のキャップ６６を取り外して出入口６５から投入する。または、蓋体（外蓋）６０が容器本体１より取り外しできる構造とした場合には、該蓋体６０を取り外した後、該容器本体１から除湿剤収納容器４０を取り出し、その除湿剤収納容器４０の収納部４１に除湿剤Ｍを投入して、該除湿剤収納容器４０を前記容器本体１内に収納する方式も採用できる。
【００５５】
なお、図４に仮想線で示すように、前記排気口５３ａに連通するようにして、防かびや消臭用の小ケース７０を接続するとよい。この小ケース７０は一体的に設けてもよいし、カセット式に着脱自在に設けてもよい。
このように小ケース７０を付設することにより、防かびや消臭効果のある除湿器が提供できる利点がある。
【００５６】
【発明の実施の形態３】
本発明の実施の形態の第３例を図７に基づいて以下に説明する。
この場合の除湿器は、前記第２実施形態の除湿器に比べて、吸気筒５０と排気筒５２とに設けた開閉弁７６、７７の形状が異なるものであり、その他の構造は両者とも同一のものであるので、詳しくは第２実施形態の説明を参考にするとよい。
【００５７】
すなわち、この場合の開閉弁７６、７７は、図１に示した開閉弁１７、１８と同様に形成したものであって、断面が角錐や円錐等の長板状で、器体転倒時には、第１連通口５４及び第２連通口５５を封止でき、器体の床面設置状態には、第１連通口５４及び第２連通口５５と吸気口５１ａや吸気通路５１や除湿剤収納容器４０や排気通路５３や排気口５３ａとを連通状態とすることがでるようにしてある。
【００５８】
この開閉弁７６、７７は、吸気筒５０又は排気筒５２の上部の内側にテーパ状に形成された弁座７１に、リブ７３を介して支持されている。また、この開閉弁７６、７７の外周壁は弁室７４の内壁との間に隙間７５を形成し、器体の床面設置状態時には、弁座７１に形成した連通孔７２と前記隙間７５と第１、第２の連通口５４、５５とが連通できるようにしてある。
なお、器体転倒時には、開閉弁７６、７７の上面が第１連通口５４又は第２連通口５５を閉塞するため、溶解液貯留部５の溶解液が電装部品収納室２１に浸入するのを防止できる。
【００５９】
除湿すべき外気（空気）の流れや、除湿器の作用等については、前記第２実施形態の除湿器の説明を参照するとよい。ただし、両者では開閉弁の作用は異なる。
【００６０】
【変形例等】
除湿剤Ｍとしては、各実施形態では、塩化カルシウムなどを用いたが、シリカゲルや合成ゼオライトなどのように再生可能なものでもよく、その他の材質からなるものでもよい。
【００６１】
開閉弁２０の形状は、各実施形態で図示のものに限定されず適宜変更できる。
【００６２】
上記各実施形態の除湿器においては、湿度センサを設けていないが、湿度センサを設けることもできる。
この湿度センサを前記電源２２やモータ２３及びファン２４と電気的に接続して、外気が一定湿度以上になったときには、前記湿度センサが感知してモータ２３及びファン２４を作動して、外気を吸気口２６、５１ａより除湿剤Ｍに接触させて、その除湿空気を排気口２７、５３ａより器体外へワンパス式に排出する操作を繰り返すようにすることもできる。
【００６３】
第１実施形態において、容器本体１の本体１Ａと容器本体蓋１Ｂとの結合方法として、着脱自在にした場合には除湿剤収納容器を外部へ取り出して除湿剤Ｍを入れ替えることができる。また、着脱不能にした場合には、使用終了後に溶解液を排出してから容器本体１を廃棄して、蓋体１０のみを再利用することもできる。
また、第１実施形態では、容器本体１は本体１Ａと容器本体蓋１Ｂの２部材を合する構成としたが、両部材１Ａ、１Ｂを一部材で構成したものを用いることもできる。
【００６４】
容器本体１と蓋体６０とは、第２、第３の実施形態では、溶着や無理嵌めなどにより固定して取り外せないようにしている。
或いは、容器本体１と蓋体６０とを、合成樹脂などで一体成形などによって一体に製造することもできる。後者の場合は、例えば、容器本体１内に除湿剤収納容器や開閉弁やファンやモータ（但し電源は除く）を組み込んだ後に、蓋体相当部を熱溶着などで固定することもできる。
又は、容器本体１と蓋体６０とは一体に固定することなく、嵌合や係合方式等により着脱自在にすることもできる。
【００６５】
除湿剤収納容器４０は、各実施形態で示したような形状に限定されないし、いずれも任意に変更できる。
【００６６】
本発明は、電源とファンとモータなどの電装部品を設けない除湿器にも適用することができる。
【００６７】
第１実施形態の除湿器の排気口にも、防かびや消臭用の小ケース７０を付設することもできる。
【００６８】
【発明の効果】
請求項１の除湿器によれば、容器本体に内装された除湿剤収納容器を、容器本体の上部に内装するとともに、該除湿剤収納容器の収納部の最低部が除湿剤の溶解液の満水位置より上方になるように設けてあるから、溶解液貯留部に貯留された溶解液により、除湿剤収納容器内の除湿剤が浸漬されることがないため、除湿剤の延命化を向上させることができる。
【００６９】
請求項２の除湿器によれば、容器本体に着脱自在に設けられる蓋体には、ファン等の電装部品を内蔵する電装部品収納室を形成するとともに、該蓋体の底板部には突部を設け、容器本体には、該容器本体の開口と除湿剤収納容器とを被蓋する容器本体蓋を設け、この容器本体蓋には、閉蓋時において前記蓋体の底板部に設けた突部に対向する位置に封印シートを設けるとともに、この封印シートは、閉蓋時には前記蓋体の突部により破られ又は人の手により剥離されることにより、前記第１連通口及び第２連通口と容器本体の収納室とを連通するように構成してある。つまり、電装部品収納室を蓋体に、除湿剤収納容器を容器本体にそれぞれ分離して収納しており、溶解液貯留部内の溶解液は、上記蓋体と容器本体とを分離してから器外に排出するものであるため、上記請求項１の効果に加え、溶解液排出時において電装部品に溶解液がかかることが防止できる。
また、この請求項２の除湿器によれば、容器本体は使用終了時には溶解液を器外に排出してから廃棄することができ（つまり使い捨て容器とする。）、電装部品を収納する蓋体を再利用することができる。
【００７０】
請求項３の除湿器によれば、蓋体の底板部に設けた突部は筒状に形成するとともに、その筒状体の内部には、容器本体と蓋体の組付状態時に開弁状態となり、容器本体の転倒状態時に閉弁状態となる開閉弁を設けてなるから、器体転倒時において溶解液が漏洩するのを防止できるため電装部品を濡らすことがない。
【００７１】
請求項４の除湿器によれば、容器本体の除湿剤収納部には、吸気通路を形成する吸気筒と、排気通路を形成する排気筒とを突設するとともに、吸気筒と排気筒には、容器本体の床面設置状態時は開弁され、器体転倒時や溶解液放出時は閉弁される開閉弁を設け、容器本体の除湿剤収納部には、上部を除く全面に多数の小孔を有する除湿剤収納容器を設け、蓋体には前記除湿剤収納容器の上部開口を臨む位置に除湿剤投入用及び溶解液排出用の出入口を設けてあることから、除湿剤を除湿剤収納容器内に投入し易い上に、第１、第２の連通口をシールした状態で溶解液の排出ができる。
【００７２】
また、容器本体の除湿剤収納部には、吸気通路を形成する吸気筒と、排気通路を形成する排気筒とを突設するとともに、吸気筒と排気筒には、容器本体の床面設置状態時は開弁され、器体転倒時や溶解液放出時は閉弁される開閉弁を設けているから、吸気筒と排気筒が、開閉弁の弁棒のガイド孔と、除湿すべき外気の吸排気通路とを兼用するため、部品点数が少なく、構成が簡素化される除湿器が提供できる。
【００７３】
請求項５の除湿器によれば、上記請求項４の効果を有する、簡単容易な除湿器が提供できる。
【００７４】
請求項６の除湿器によれば、排気口には防かびや消臭用の小ケースを設けているから、外気を除湿するだけでなく、防かび効果や消臭効果が達成できる。
【図面の簡単な説明】
【図１】本発明の実施の形態１の除湿器の縦断面図である。
【図２】本発明の実施の形態１における蓋体の平面図である。
【図３】本発明の実施の形態１における容器本体と蓋体の分解斜視図である。
【図４】本発明の実施の形態２の除湿器の縦断面図である。
【図５】本発明の実施の形態２における除湿器で蓋体を取り外した状態の平面図である。
【図６】本発明の実施の形態２の除湿剤収納容器の斜視図である。
【図７】本発明の実施の形態３の除湿器の縦断面図である。
【図８】従来例の除湿器の縦断面図である。
【図９】従来例の除湿器の平面図である。
【符号の説明】
１　　　　　　　容器本体
２　　　　　　　開口
３　　　　　　　底板部
４　　　　　　　収納室
５　　　　　　　溶解液貯留部
６　　　　　　　除湿剤収納部
１０　　　　　　蓋体（外蓋）
１２　　　　　　突部
１５　　　　　　第１連通口
１６　　　　　　第２連通口
１７、１８　　　開閉弁
２１　　　　　　電装部品収納室
２２　　　　　　電源
２３　　　　　　モータ
２４　　　　　　ファン
２６　　　　　　吸気口
２７　　　　　　排気口
４０　　　　　　除湿剤収納容器
４１　　　　　　収納部
４５　　　　　　封印シート
５０　　　　　　吸気筒
５１　　　　　　吸気通路
５１ａ　　　　　吸気口
５２　　　　　　排気筒
５３　　　　　　排気通路
５３ａ　　　　　排気口
５４　　　　　　第１連通口
５５　　　　　　第２連通口
５６、５７　　　開閉弁
６０　　　　　　蓋体
６５　　　　　　出入口
６６　　　　　　キャップ
７０　　　　　　小ケース
７６、７７　　　開閉弁
Ｍ　　　　　　　除湿剤
Ｌ　　　　　　　最低部
Ｕ　　　　　　　満水位置
【図１】
2004073929.tif 000003
【図２】
2004073929.tif 000004
【図３】
2004073929.tif 000005
【図４】
2004073929.tif 000006
【図５】
2004073929.tif 000007
【図６】
2004073929.tif 000008
【図７】
2004073929.tif 000009
【図８】
2004073929.tif 000010
【図９】
2004073929.tif 000011